(57)【要約】【課題】  本発明はグラスの大きさに応じて映像の縦横比を変更しながらグラス側面に映像を映すことが可能な軽量な飲料用演出グラスを提供することを課題とする。【解決手段】  飲料用演出グラス１は、側面に透明な材料から成る平坦部２０と湾曲部３０を備える上部開口１１を有する有底の筒状体であるグラス本体１０と、映像表示装置８０をその映像表示面８１を平坦部２０の方向に向けた状態で平坦部２０に固定するための固定機構４０とを備え、湾曲部３０はグラス本体１０に充填された飲料Ｌが接する側の面に湾曲部３０に沿って湾曲する湾曲面３１を備え、グラス本体１０の外側から映像表示面８１に映った映像８２を飲料Ｌ及び湾曲部３０越しに見ると映像８２を拡大した虚像８３が見える曲率半径Ｒを湾曲面３１は有し、湾曲面３１の鉛直方向の曲率半径ＲＶと水平方向の曲率半径ＲＨは違う値とすることを特徴とする。【選択図】図１
2020185348.tif 000002
【特許請求の範囲】
【請求項１】
側面に透明な材料から成る平坦部と透明な材料から成る湾曲部を備える上部開口を有する有底の筒状体であるグラス本体と、
映像表示装置をその映像表示面を前記平坦部の方向に向けた状態で前記平坦部に固定するための固定機構と
を備え、
前記湾曲部は前記平坦部の対向する位置に配置されており、
前記湾曲部は前記グラス本体の外側に向けて凸型に湾曲しており、
前記湾曲部は前記グラス本体に充填された飲料が接する側の面に前記湾曲部に沿って湾曲する湾曲面を備え、
前記平坦部は前記飲料が接する側の面に平らな平坦面を備え、
前記グラス本体の外側から前記映像表示面に映った映像を前記飲料及び前記湾曲部越しに見ると前記映像を拡大した虚像が見える曲率半径を前記湾曲面は有することを特徴とする飲料用演出グラス。
【請求項２】
前記湾曲面の鉛直方向の曲率半径と前記湾曲面の水平方向の曲率半径が違うことを特徴とする請求項１に記載の飲料用演出グラス。
【請求項３】
前記湾曲面の鉛直方向の曲率半径が無限大であることを特徴とする請求項１〜２のいずれか一項に記載の飲料用演出グラス。
【請求項４】
前記固定機構は透明な材料から成ることを特徴とする請求項１〜３のいずれか一項に記載の飲料用演出グラス。
【請求項５】
前記固定機構は前記映像表示面と前記平坦部の間の距離を変更できるアジャスター機構を備えることを特徴とする請求項１〜４のいずれか一項に記載の飲料用演出グラス。
【請求項６】
前記平坦部と前記映像表示面の間に透明性と伸縮性を有し空気を通さない材料から成るシートを備え、
前記固定機構は前記シートを介して前記映像表示面と前記平坦部とを密着させることを特徴とする請求項１〜５のいずれか一項に記載の飲料用演出グラス。
【請求項７】
前記固定機構は透明性を有した材料から成るポケット機構であることを特徴とする請求項１〜６のいずれか一項に記載の飲料用演出グラス。
【請求項８】
前記ポケット機構の内部に挿入されるスペーサーを備え、
前記スペーサーは伸縮性と透明性を有した材料から成ることを特徴とする請求項７に記載の飲料用演出グラス。
【請求項９】
前記ポケット機構は柔軟性を有する材料から成ることを特徴とする請求項７〜８のいずれか一項に記載の飲料用演出グラス。
【請求項１０】
前記湾曲面の鉛直方向の曲率半径と前記湾曲面の水平方向の曲率半径が等しいことを特徴とする請求項１に記載の飲料用演出グラス。
【請求項１１】
前記上部開口を塞ぐための蓋を備えることを特徴とする請求項１〜１０のいずれか一項に記載の飲料用演出グラス。
【発明の詳細な説明】
【技術分野】
【０００１】  本発明は、グラス内部の液体による画像の縦横比の変更機能及び映像表示拡大機能を備える飲料用演出グラスに関する。
【背景技術】
【０００２】  飲料を入れる機能以外に様々な機能を持ったグラスが開発されている。
例えば特許文献１及び２にはグラスの表面に表示装置を配置し、表示装置に映す映像を手動で切り替えたり、グラスの状態を検知するモーションセンサーの出力に応じて切り替えたりする技術が開示されている。
特許文献３〜５には本願発明者が発明した飲料用演出グラスが開示されている。この飲料用演出グラスは、グラス本体と、グラス本体の底部から内部側にのびており携帯型通信装置を格納するための格納部と、グラス本体の側面から内部側にのびており携帯型通信装置の電波を通過させるための導波部を備えている。この飲料用演出グラスはグラス本体内に飲料を充填した状態でも携帯型通信装置の電波を導波部を通して外部に出して無線通信できる。
特許文献６には本願発明者が発明した飲料用演出グラスが開示されている。この飲料用演出グラスは、グラス側面に固定された映像表示装置と、グラス本体内部に配置された反射鏡とを備えてりおり、映像表示装置の映像を疑似的にグラス内部に投影する演出が可能なグラスである。
【先行技術文献】
【特許文献】
【０００３】
【特許文献１】特開２００５−９９１５９号公報
【特許文献２】米国特許出願公開第２００８／０１００４６９号明細書
【特許文献３】特許第６３３７２５６号
【特許文献４】特許第６４０６７４２号
【特許文献５】特許第６４３２９６０号
【特許文献６】特許第６４８８０４９号
【発明の概要】
【発明が解決しようとする課題】
【０００４】  しかし、上記特許文献１〜４は小さな文字等を含む映像を扱う場合その映像を拡大しなければその文字の視認が難しく老眼や乱視のユーザーには使いづらいという問題を有する。
上記特許文献５〜６は映像拡大用のレンズを別途グラス側面に設ける構成となっており、仮に５インチ程度の映像表示装置をカバーする程度の大きさのレンズを用いたとしてもグラス本体の重量が最低でも数百［ｇ］程度は増加してしまい力の弱い女性や子供が扱うのは困難という問題を有する。
更に上記特許文献１〜６は全てグラスの大きさや形状に応じて映像の縦横比（アスペクト比）を変更出来ないという問題を有する。【０００５】  本発明は上記問題を鑑み、グラスの大きさに応じて映像の縦横比を変更しながらグラス側面に映像を映すことが可能な軽量な飲料用演出グラスを提供することを課題とする。
【課題を解決するための手段】
【０００６】  本発明の飲料用演出グラスは、側面に透明な材料から成る平坦部と透明な材料から成る湾曲部を備える上部開口を有する有底の筒状体であるグラス本体と、映像表示装置をその映像表示面を前記平坦部の方向に向けた状態で前記平坦部に固定するための固定機構とを備え、前記湾曲部は前記平坦部の対向する位置に配置されており、前記湾曲部は前記グラス本体の外側に向けて凸型に湾曲しており、前記湾曲部は前記グラス本体に充填された飲料が接する側の面に前記湾曲部に沿って湾曲する湾曲面を備え、前記平坦部は前記飲料が接する側の面に平らな平坦面を備え、前記グラス本体の外側から前記映像表示面に映った映像を前記飲料及び前記湾曲部越しに見ると前記映像を拡大した虚像が見える曲率半径を前記湾曲面は有することを特徴とする。
また、前記湾曲面の鉛直方向の曲率半径と前記湾曲面の水平方向の曲率半径が違うことを特徴とする。
また、前記湾曲面の鉛直方向の曲率半径が無限大であることを特徴とする。
また、前記固定機構は透明な材料から成ることを特徴とする。【０００７】  前記固定機構は前記映像表示面と前記平坦部の間の距離を変更できるアジャスター機構を備えることを特徴とする。
また、前記平坦部と前記映像表示面の間に透明性と伸縮性を有し空気を通さない材料から成るシートを備え、前記固定機構は前記シートを介して前記映像表示面と前記平坦部とを密着させることを特徴とする。
また、前記固定機構は透明性を有した材料から成るポケット機構であることを特徴とする。
また、前記ポケット機構の内部に挿入されるスペーサーを備え、前記スペーサーは伸縮性と透明性を有した材料から成ることを特徴とする。
また、前記ポケット機構は柔軟性を有する材料から成ることを特徴とする。
また、前記湾曲面の鉛直方向の曲率半径と前記湾曲面の水平方向の曲率半径が等しいことを特徴とする。
また、前記上部開口を塞ぐための蓋を備えることを特徴とする。
【発明の効果】
【０００８】  グラス本体の側面を透明な材質から成る平坦部と湾曲部とを備える構成にする事によりグラス本体の内部の飲料（液体）の形状を一方の面が平らでそれに対向する他方の面が凸型の平凸レンズ（英：ｐｌａｎｏ−ｃｏｎｖｅｘ−ｌｅｎｓ）と同じ形状に出来るため、平坦部に固定した映像表示装置の映像表示面の映像を拡大してユーザーに表示する事が可能である。これは平坦部と湾曲部に沿った形状に変化したグラス本体の内部の飲料が光屈折媒体（水の屈折率は約１．３３３）となり平凸レンズとして機能するためである。
レンズとグラス本体の飲料が一体化しているためグラス本体の重量の軽量化が図れる。
湾曲部の飲料が接している側の面（以下、単に湾曲面という）の曲率半径の値を調整することによりユーザーから見た映像の拡大率及び焦点距離の調整が可能になる。
湾曲面の鉛直方向の曲率半径と水平方向の曲率半径を違う値にする事によりグラス内の飲料を透過した映像の縦横比（アスペクト比）の比率を変更しながら拡大出来る。これによりグラスの形状や大きさに応じてグラス側面の映像の縦横比の変更が出来る。
湾曲面の鉛直方向の曲率半径と水平方向の曲率半径を等しい曲率半径にする事により映像をその縦横比を変更しないで拡大する事が出来る。
湾曲面の鉛直方向の曲率半径の値を無限大つまりグラス本体を鉛直方向に湾曲しない柱状の形状とすることに天井照明等の光源がグラス本体側面の湾曲部や湾曲面に映り込むのを防げるため快適な映像視聴が出来る。
平坦部と映像表示面の距離を可変にすればグラス内部の飲料越しに見える映像の拡大率とピントをユーザーにて調整出来る。
映像表示装置を平坦部に対して水平方向にスライドさせる事により映像の任意のエリアのみ限定して拡大する事が可能である。
飲料の色によりグラス側面の映像を着色する演出が可能である。
飲料の種類により光の屈折率は違うため、飲料毎に映像の拡大率を変化させる演出が可能である。
グラス本体を傾けた場合においてもグラス内の映像はグラスの傾きに応じて同期して傾くため乾杯時の演出等に使用出来る。【０００９】  グラス本体に映像表示装置を平坦部と映像表示装置の映像表示面を完全に密着させた状態で固定出来るため映像表示面と平坦部の間の空気を排除出来、それにより映像表示面が曇る（結露する）事を防止出来る。
映像表示面を平坦部に押し当てる方向に圧力（或はテンション）をバネ機構やゴムベルト機構等で加えるだけで映像表示面を平坦部に強固に固定出来、その際平坦部から受ける映像表示面に対する応力は面応力になり分散するため映像表示面が平坦部により破損する事を防止できる。【００１０】  平凸レンズに限らず通常凸レンズは（虫眼鏡のように）拡大したい物体とレンズの距離が大きければ大きい程物体は大きく拡大して見える。そのため平坦部のガラスの厚さをコントロールする事により映像の拡大率を増減させる事が出来る。
平坦部と映像表示面の間に透明性と柔軟性を有した空気を通さない材料から成るシートを挟む事により映像表示面の曇り（結露）を防止出来、更にそのシートの厚さを増減させる事により映像の拡大率を増減させる事が出来る。【００１１】  グラス本体に映像表示装置を固定するための固定機構としてポケット機構を用いる事によりグラスを傾斜させてもグラスから映像表示装置が外れる事は無く着脱も容易になる。また、ポケット機構に挿入されるスペーサーに伸縮性を有した素材を用いれば様々な厚みのサイズの映像表示装置や携帯電話をグラス側面に固定出来るだけなく、そのスペーサーの伸縮性による応力により映像表示面を平坦部に常時押し付けた状態にする事が可能になり映像表示装置の固定強度が増す。なお、ポケット機構とスペーサーを両方とも透明な材料にする事により映像表示装置の固定位置をユーザーが正確に視認出来るようにしても良く、これにより映像表示装置の固定位置の微調整やスライドが容易になる。【００１２】  ポケット機構等の映像表示装置をグラス本体に固定するための固定機構を全て透明な材料から成るようにする事により、映像表示装置をグラス内側とグラス外側のどちらの方向に向けた状態で固定しても映像の視認が可能になる。これにより本発明の飲料用演出グラスはグラス本体の飲料を透過させて映像を拡大して見る通常の利用形態と前述の飲料を透過させないで見る利用形態とをリバーシブルに切り替えられるようになる。
【図面の簡単な説明】
【００１３】
【図１】第１の実施の形態の飲料用演出グラスを示す斜視図（ａ）及び上方断面図（ｂ）
【図２】固定機構としてポケット機構を採用した例の断面図（ａ）及び（ｂ）
【図３】平凸レンズの焦点距離と拡大率の計算例を示した図
【図４】湾曲面の鉛直方向と水平方向の曲率半径による映像の拡大の縦横比の関係を示した図
【図５】グラス正面から見た湾曲面を透過した透過光の分布を示すディスプレー上に表示された中間調画像の写真（ａ）及び（ｂ）
【図６】平坦部と映像表示面の距離を可変にした例の断面図
【図７】ボトル型の飲料用演出グラスを示す斜視図
【図８】第２の実施の形態の飲料用演出グラスを示す断面図（ａ）及び（ｂ）
【図９】第３の実施の形態の飲料用演出グラスを示す断面図（ａ）及び（ｂ）
【発明を実施するための形態】
【００１４】［飲料用演出グラスの第１の実施の形態］
以下、本発明の飲料用演出グラスの第１の実施の形態を図面を用いて示す。
図１に示すように、飲料用演出グラス１はグラス本体１０、平坦部２０、平坦面２１、湾曲部３０、湾曲面３１、固定機構４０から概略構成される。
グラス本体１０は上部開口１１を有する有底の筒状体でありその内部に清涼飲料水やアルコール飲料等の飲料Ｌを充填出来る。グラス本体１０の材質としては、一般的なグラスと同様にガラス、樹脂、陶器、磁器等が挙げられる。
グラス本体１０はその側面に透明な材料から成る平らな平坦部２０を備え、平坦部２０はグラス本体１０内部に充填された飲料Ｌが接する側の面に平らな平坦面２１を備える。
平坦部２０は映像表示装置８０をグラス本体１０に安定して固定するため及び映像表示装置８０の映像８２の光を対向する湾曲部３０の方向に向かって透過させるために設けられている。平坦部２０は平らなため映像表示装置８０の映像表示面８１と密着させる事により映像表示面８１及び平坦部２０の間の空気を排除出来、それにより平坦部２０及び映像表示面８１の結露が防止出来る。
グラス本体１０はその側面に平坦部２０に対向する位置にグラス本体１０の外側に凸型に湾曲した透明な材料から成る湾曲部３０を備え、湾曲部３０はグラス本体１０内部に充填された飲料Ｌが接する側の面に湾曲部３０に沿って湾曲している湾曲面３１を備える。湾曲部３０は映像８２を拡大した拡大像である虚像８３をグラス本体１０の外部のユーザーＵが視認するために設けられている。
固定機構４０は映像表示装置８０を平坦部２０に固定するための部材である。固定機構４０は映像表示装置８０を映像表示面８１を平坦部３０の方向に向けた状態で平坦部２０に固定する。本実施の形態では固定機構４０として図１や図２に示すようなポケット機構４２を備えるが、本発明の飲料用演出グラスはこれに限定される事はなく固定機構４０としてゴムベルト機構やクランプ機構等を用いても良い。
グラス本体１０の形状としては図１に示すような取っ手１２を備えたいわゆるジョッキ型以外に、図７に示すような上部開口１１を閉めるための蓋１５を有するボトル型であってもよい。
【００１５】  平坦部２０（厳密には平坦面２１）と湾曲部３０（厳密には湾曲面３１）によりグラス内部に充填された飲料Ｌの形状は一方の面が平らでそれに対向する他方の面が凸型の平凸レンズ（英：ｐｌａｎｏ−ｃｏｎｖｅｘ−ｌｅｎｓ）と同じ形状になることにより平坦部２０に固定した映像表示装置８０の映像８２を拡大した虚像８３をユーザーＵに表示する事が可能である。
これは水の屈折率は約１．３３３であり空気の屈折率に比して大きいため平坦面２１と湾曲面３１に沿って平凸レンズの形状に変化した飲料Ｌが光屈折媒体となり平凸レンズ５０として機能するためである。なお、湾曲面３１は湾曲しているためその曲率半径Ｒは有限な値を必ず持つ。
飲料Ｌの種類により光の屈折率は違うため（例えば純水の屈折率は約１．３３であるが、濃度２０％の砂糖水の屈折率は約１．３７である）本発明の飲料演出グラス１では飲料Ｌの種類ごとに映像の拡大率を変化させる演出が可能である。
図３は平凸レンズの焦点距離と拡大率の計算例を示した図である。
式１に示すように平凸レンズ５０の焦点距離ｆはレンズの光屈折媒体の屈折率をｎとし、平凸レンズ５０の凸部の曲率半径Ｒとした場合、Ｒをｎ−１で割った値に近似される事が知られている（詳細は光学の専門書かレンズの公式の専門書を参照されたい）。一方、虚像（映像の拡大像）が目から２５０［ｍｍ］離れた位置（これを明視距離ｄｉｓｔａｎｃｅ  ｏｆ  ｄｉｓｔｉｎｃｔ  ｖｉｓｉｏｎと言う）につくられる場合その虚像が実物の何倍になるかを示す拡大率Ｍは、レンズの焦点距離ｆとした場合、式２のように２５０をｆで割った値か式３のように２５０をｆで割った値に１を加えた値で近似されるのが知られており（詳細はレンズや光学の専門書を参照されたい）、そのため式１と式２或は式１と式３により湾曲面３１の曲率半径Ｒを減少させる事により映像８２の拡大率を増加させる事が出来る事がわかる。
図４は湾曲面の鉛直方向と水平方向の曲率半径による映像の拡大の縦横比の関係を示した図である。
湾曲面３１の曲率半径Ｒは図４のように水平方向の曲率半径ＲＨと鉛直方向の曲率半径ＲＶが存在するため、これら曲率半径ＲＨと曲率半径ＲＶを違う値にする事により拡大像である虚像８３と実際の映像８２の縦横比を変更出来る。例えば図４のように水平方向の曲率半径ＲＨの値を鉛直方向の曲率半径ＲＶより小さい値にすれば虚像８３は水平方向に引き伸ばされて見えるようになる。逆に曲率半径ＲＨの値を曲率半径ＲＶより大きい値にすれば虚像８３は垂直方向に引き伸ばされて見えるようになる。つまり曲率半径ＲＨと曲率半径ＲＶを別々の値に調整することによりグラス本体の大きさ、縦横比、形状、デザインに応じて虚像８３の縦横比と拡大率を調整する事が出来る。また、曲率半径ＲＨの値を曲率半径ＲＶと等しくする事で別の言い方をすれば湾曲面３１を球形にすることにより映像８２と虚像８３の縦横比を等しくする事が出来る。
なお、グラスを設計する際に拡大率を大きくするために不必要に曲率半径ＲＨ或は曲率半径ＲＶを小さな値にすると歪曲収差が顕著になり虚像８３の外縁部部分の歪みが激しくなる可能性があるためその点は注意が必要である。
【００１６】  図３の式１と式２或は式３から分るように映像８２を拡大した虚像８３をユーザーＵが見える必要条件は曲率半径Ｒが有限の値である事であり、曲率半径Ｒが有限な値であれば曲率半径Ｒがどんなに大きな値でも映像８２に比して虚像８３は僅かだけでも拡大する。しかし映像８２がどれだけ拡大したかを認識出来る能力は視力や眼球の径大きさ等の多くのパラメーターの影響を受けるため各個人で個体差が有る（詳細はレンズや光学の専門書を参照されたい）。そのためあまりに大きな曲率半径の値（例えば数メートルオーダー）を用いてグラス本体１０を作成した場合は拡大率が小さすぎるためユーザーによっては映像８２の拡大の効果が認識出来ない可能性が有るため注意が必要である。
本発明グラスを作成する際は現実的なグラスの半径と拡大率を考慮し曲率半径ＲＨや曲率半径ＲＶの値は数センチオーダーから数十センチオーダーの範囲で選定すると良いだろう。
参考のため図５に曲率半径ＲＨと曲率半径ＲＶ共に無限大にした場合及び共に５［ｃｍ］にした場合におけるグラス正面から見た湾曲面を透過した透過光の分布を示すディスプレー上に表示された中間調画像の写真（ａ）及び（ｂ）を示す。図５（ａ）は湾曲面３１が存在しない各辺が１０［ｃｍ］の立方体の形状グラス（つまり曲率半径ＲＨと曲率半径ＲＶともに無限大グラス）を透過した光を湾曲面の正面から撮影しそれをコンピューターによる明度解析を行うことによりその光の分布を出力した図である。一方、図５（ｂ）は水平方向の曲率半径ＲＨと鉛直方向の曲率半径ＲＶが等しい湾曲面３１を有したグラス（曲率半径ＲＨと曲率半径ＲＶともに５［ｃｍ］の球状のグラス）を透過した光を湾曲面の正面から撮影しそれを図（ａ）と同じくコンピューターによる明度解析を行うことによりその光の分布を出力した図である。なお比較のため図５（ａ）（ｂ）ともに飲料Ｌとして同じ濃度で着色した液体（ブラックコーヒーにて着色）を充填し、更に同じ点光源を用いて両グラスともその点光源に密着させた状態で撮影した映像をコンピューターに取り込んで透過光の解析をしている。また、図５は（ａ）（ｂ）ともに明細用の図面として白黒表現でも分りやすく図示するためにコンピューター画像解析ソフトにより明度解析を行い、明度（英：ｂｒｉｇｈｔｎｅｓｓ）８７．５［％］（２５６階調中の２２４ｂｉｔ）以上を閾値として白色で表現しそれ以下の明度のエリアは黒色で表示する事により透過光の分布パターンを出力している。
図５（ａ）と図５（ｂ）を比較すると図５（ｂ）のグラスでは点光源の透過像は図５（ａ）に比して約１．８倍拡大しており曲率半径が５［ｃｍ］の場合殆どのユーザーが拡大効果を十分認識出来る程度の倍率で映像が拡大する事が確認出来る。また、図５（ｂ）では点光源の透過光がほぼ真円であり縦横比も等しく拡大されている事も分る。なお、曲率半径Ｒを小さくする以外に映像８２の拡大率を上げる別の方法としてはグラス本体１０と映像表示面８１の距離を大きくする事でも可能である（これは虫眼鏡と同じ原理でありレンズの公式より求められる）。グラスのデザイン上等の理由で曲率半径Ｒを小さく出来ない場合はこの方法を併用しても良い。
【００１７】  図２や図６のように固定機構４０としてポケット機構４２を用いる事により乾杯や飲料行為時にグラス本体１０を傾斜させてもグラス本体１０から映像表示装置８０が外れる事は無く、更に映像表示装置８０を平坦部２０に水平にスライドするだけでグラスから着脱する事が出来る。
図２のようにポケット機構４２に挿入されるスペーサー４３に伸縮性を有した材料を用いれば様々な厚みのサイズの映像表示装置や携帯電話をグラス側面に固定出来るだけなく、そのスペーサー４３の伸縮性による応力により映像表示面８１を平坦部２０に常時押し付けた状態にする事が可能になり映像表示装置の固定強度が増す。なお、ポケット機構４２とスペーサー４３を両方とも透明な材料で構成する事により映像表示装置８０の固定位置をユーザーＵがグラス本体をどの方向から見ても正確に視認出来るようにしても良く、これにより映像表示装置８０の固定位置の微調整やスライドが容易になる。なお、ポケット機構４２の材料としてはガラスやアクリル等の固体だけでなく、柔軟性を有した透明な塩化ビニール等の材料を用いても良くこれによりグラス本体１０の小型化と軽量化が図れる。
平凸レンズに限らず通常凸レンズは（虫眼鏡のように）拡大したい物体とレンズの距離が大きければ大きい程物体は大きく拡大して見える。そのため本発明グラスでは平坦部２０のガラスの厚さをコントロールする事により映像８２の拡大率を増減させる事が出来、また平坦部２０と映像表示面８１との間に透明性と柔軟性を有した空気を通さない材料から成るシート４４を挟み込む事によりそのシート４４の厚さを増減させる事により映像の拡大率を増減させても良い。この方法の利点としては映像表示面８１がシート４４により平坦部２０から保護出来る点及び（映像表示面８１と平坦面の間に空気が侵入しないため）映像表示面８１の結露が防止できる点が挙げられる。
図６のように映像表示面８１と平坦部２０の間の距離ｄを変更できるアジャスター機構４５を備える事によりユーザーＵ自信で映像の拡大率を調整出来るようにしても良い。なお、アジャスター機構４５としては既知のネジ機構により距離を調整する物等を用いれば良い。
【００１８】［飲料用演出グラスの第２の実施の形態］
以下、本発明の飲料用演出グラスの第２の実施の形態を図面を用いて示すが、上記第１の実施の形態の飲料用演出グラス１と同一の構成となる箇所については同一の符号を付してその説明を省略する。
本実施の形態の飲料用演出グラスは、図８に示すように固定機構４０として透明な材料から成る固定機構４１にする事により（例えばポケット機構４２を透明なガラス製にする等）、映像表示装置８０を図８（ａ）のようにグラス本体１０の内側に向けた状態と図８（ｂ）のようにグラス本体１０の外側に向けた状態のどちらの状態でも映像の視認が可能になる。これにより本実施の形態の飲料用演出グラスはグラス本体１０の飲料Ｌを透過させて映像８２を拡大して見る通常の利用形態と飲料Ｌを透過させないで見る利用形態とをリバーシブルに切り替えられるようになる。
【００１９】  ［飲料用演出グラスの第３の実施の形態］
以下、本発明の飲料用演出グラスの第３の実施の形態を図面を用いて示すが、上記第１の実施の形態の飲料用演出グラス１と同一の構成となる箇所については同一の符号を付してその説明を省略する。
本実施の形態の飲料用演出グラスは、図９に示すようにグラス本体を鉛直方向に湾曲しない柱状の形状、つまり湾曲面３１の鉛直方向の曲率半径ＲＶの値を無限大になっている。こうする事により天井照明１００等の光源がグラス本体１０の側面の湾曲部３０や湾曲面３１に映り込むのを防げるため快適な映像視聴が出来る。
【産業上の利用可能性】
【００２０】  本発明は、透明な平坦面と透明な湾曲面よりその側面が構成されるグラス本体の内部の飲料を光屈折媒体として用いた平凸レンズを用いてグラス側面の映像表示装置の映像を拡大する飲料用演出グラスに関する。レンズとグラス内の飲料と映像表示装置が一体化しているためクリアな映像をグラス飲料を透過して拡大出来、グラス本体の軽量化も可能である。透明な固定機構により映像表示装置のリバーシブル固定も可能である。以上より本発明は産業上の利用可能性を有する。
【符号の説明】
【００２１】Ｌ  飲料（液体）
ｄ  距離（平坦部と映像表示面の間の距離）
Ｒ  曲率半径
ＲＶ  曲率半径（鉛直方向）
ＲＨ  曲率半径（水平方向）
Ｐ  焦点
ｎ  屈折率
ｆ  焦点距離
Ｍ  拡大率
Ｕ  ユーザー
１  飲料用演出グラス
１０  グラス本体
１１  上部開口
１２  取っ手
１５  蓋
２０  平坦部
２１  平坦面
３０  湾曲部
３１  湾曲面
４０  固定機構
４１  固定機構（透明）
４２  ポケット機構
４３  スペーサー
４４  シート
４５  アジャスター機構
５０  平凸レンズ
８０  映像表示装置
８１  映像表示面
８２  映像
８３  虚像（映像の拡大像）
１００  天井照明
【図１】
2020185348.tif 000003
【図２】
2020185348.tif 000004
【図３】
2020185348.tif 000005
【図４】
2020185348.tif 000006
【図５】
2020185348.tif 000007
【図６】
2020185348.tif 000008
【図７】
2020185348.tif 000009
【図８】
2020185348.tif 000010
【図９】
2020185348.tif 000011
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
側面に透明な材料から成る平坦部と透明な材料から成る湾曲部を備える上部開口を有する有底の筒状体であるグラス本体と、
映像表示装置をその映像表示面を前記平坦部の方向に向けた状態で前記平坦部に固定するための固定機構とを備え、
前記湾曲部は前記平坦部の対向する位置に配置されており、
前記湾曲部は前記グラス本体の外側に向けて凸型に湾曲しており、
前記湾曲部は前記グラス本体に充填された飲料が接する側の面に前記湾曲部に沿って湾曲する湾曲面を備え、
前記平坦部は前記飲料が接する側の面に平らな平坦面を備え、
前記平坦部は前記グラス本体の側面を構成する一部分であり、
前記グラス本体の外側から前記映像表示面に映った映像を前記飲料及び前記湾曲部越しに見ると前記映像を拡大した虚像が見える曲率半径を前記湾曲面は有しており、
前記湾曲面の鉛直方向の曲率半径と前記湾曲面の水平方向の曲率半径が共に有限の値であることを特徴とする飲料用演出グラス。
【請求項２】
前記湾曲面の鉛直方向の曲率半径と前記湾曲面の水平方向の曲率半径が違うことを特徴とする請求項1に記載の飲料用演出グラス。
【請求項３】
前記固定機構は透明な材料から成ることを特徴とする請求項1又は2に記載の飲料用演出グラス。
【請求項４】
前記固定機構は前記映像表示面と前記平坦部の間の距離を変更できるアジャスター機構を備えることを特徴とする請求項1〜3のいずれか一項に記載の飲料用演出グラス。
【請求項５】
前記平坦部と前記映像表示面の間に透明性と伸縮性を有し空気を通さない材料から成るシートを備え、
前記固定機構は前記シートを介して前記映像表示面と前記平坦部とを密着させることを特徴とする請求項1〜4のいずれか一項に記載の飲料用演出グラス。
【請求項６】
前記固定機構は透明性を有した材料から成るポケット機構であることを特徴とする請求項1〜5のいずれか一項に記載の飲料用演出グラス。
【請求項７】
前記ポケット機構の内部に挿入されるスペーサーを備え、
前記スペーサーは伸縮性と透明性を有した材料から成ることを特徴とする請求項6に記載の飲料用演出グラス。
【請求項８】
前記ポケット機構は柔軟性を有する材料から成ることを特徴とする請求項6又は７に記載の飲料用演出グラス。
【請求項９】
前記湾曲面の鉛直方向の曲率半径と前記湾曲面の水平方向の曲率半径が等しいことを特徴とする請求項1に記載の飲料用演出グラス。
【請求項１０】
前記上部開口を塞ぐための蓋を備えることを特徴とする請求項1〜9のいずれか一項に記載の飲料用演出グラス。
【手続補正２】
【補正対象書類名】明細書
【補正対象項目名】０００６
【補正方法】変更
【補正の内容】
【０００６】
本発明の飲料用演出グラスは、側面に透明な材料から成る平坦部と透明な材料から成る湾曲部を備える上部開口を有する有底の筒状体であるグラス本体と、映像表示装置をその映像表示面を前記平坦部の方向に向けた状態で前記平坦部に固定するための固定機構とを備え、前記湾曲部は前記平坦部の対向する位置に配置されており、前記湾曲部は前記グラス本体の外側に向けて凸型に湾曲しており、前記湾曲部は前記グラス本体に充填された飲料が接する側の面に前記湾曲部に沿って湾曲する湾曲面を備え、前記平坦部は前記飲料が接する側の面に平らな平坦面を備え、前記平坦部は前記グラス本体の側面を構成する一部分であり、前記グラス本体の外側から前記映像表示面に映った映像を前記飲料及び前記湾曲部越しに見ると前記映像を拡大した虚像が見える曲率半径を前記湾曲面は有しており、前記湾曲面の鉛直方向の曲率半径と前記湾曲面の水平方向の曲率半径が共に有限の値であることを特徴とする。
また、前記湾曲面の鉛直方向の曲率半径と前記湾曲面の水平方向の曲率半径が違うことを特徴とする。
また、前記固定機構は透明な材料から成ることを特徴とする。